(57)【要約】      （修正有）【課題】薄型化が可能であり、かつ、構造的に優れた画像表示装置を提供する。【解決手段】画像表示装置は、前面に画像を表示する表示パネルを有する表示ユニット１００と、画像の表示に用いられるＬＥＤユニットであって、通電により発熱するＬＥＤユニットと、ＬＥＤユニットを支持する支持部材１６０とを備える。支持部材１６０は、表示ユニット１００の背面１０１ａに設けられた係止部１８２に係止される被係止部１６１を有する。【選択図】図６
2020118911.tif 000002
【特許請求の範囲】
【請求項１】
前面に画像を表示する表示パネルを有する表示ユニットと、
前記画像の表示に用いられる電気機器であって、通電により発熱する電気機器と、
前記電気機器を支持する支持部材であって、前記表示ユニットの背面に設けられた係止部に係止される被係止部を有する支持部材と、
を備える画像表示装置。
【請求項２】
前記係止部は、前記表示ユニットの背面に固定された取付部材が有する突出状の部分であり、
前記支持部材の被係止部は、前記係止部の少なくとも一部を貫通させた状態で前記係止部に係止される、
請求項１記載の画像表示装置。
【請求項３】
前記表示ユニットは、前記表示ユニットの背面を形成するガラス製の支持板を有し、
前記取付部材は、前記支持板に接着されることで前記表示ユニットの背面に固定されており、
請求項２記載の画像表示装置。
【請求項４】
前記支持部材は、前記表示ユニットの端面に対向して配置される前記電気機器を支持する支持面部と、前記支持面部と交差する方向に広がり、前記被係止部が形成された主面部とを有し、
前記被係止部は、前記主面部を貫通する貫通孔と、前記主面部の背面側において、前記貫通孔よりも前記支持面部に近い位置に配置された係合部とを有し、
前記係止部は、前記貫通孔を貫通する腕部と、前記腕部から前記支持面部の側に向けて延設され、前記係合部に係合する爪部とを有する、
請求項１〜３のいずれか一項に記載の画像表示装置。
【請求項５】
前記表示ユニットの前記背面にはさらに、前記係止部の側方において、前記支持部材に向けて突出する凸部が設けられている、
請求項１〜４のいずれか一項に記載の画像表示装置。
【請求項６】
前記表示ユニットは、前記表示パネルの背面側に配置された導光板を有し、
前記電気機器は、前記導光板の端面から光を入射する複数の発光素子を有する
請求項１〜５のいずれか一項に記載の画像表示装置。
【発明の詳細な説明】
【技術分野】
【０００１】
本開示は、画像を表示する表示パネルを備える画像表示装置に関する。
【背景技術】
【０００２】
特許文献１は、液晶パネルを備える液晶表示装置を開示する。液晶表示装置は、液晶パネルの背面側に配置される光学シートと、光学シートの背面側に設けられＬＥＤ基板からの光を液晶パネルに出射する導光板と、導光板の背面側に設けられたバックライトシャーシと、液晶パネルの周囲に設けられた前面フレームとを備える。この液晶表示装置において、光学シートと導光板との間に中間シャーシを挿入することで空気層を形成すると共に、この中間シャーシを放熱部材と前面フレームとの間に延設する。特許文献１では、この構成により、前面フレームや光学シートへの熱流入を防止することができる旨が記載されている。
【先行技術文献】
【特許文献】
【０００３】
【特許文献１】特開２０１４−９２６９９号公報
【発明の概要】
【発明が解決しようとする課題】
【０００４】
本開示は、薄型化が可能であり、かつ、構造的に優れた画像表示装置を提供する。
【課題を解決するための手段】
【０００５】
本開示における画像表示装置は、前面に画像を表示する表示パネルを有する表示ユニットと、前記画像の表示に用いられる電気機器であって、通電により発熱する電気機器と、前記電気機器を支持する支持部材であって、前記表示ユニットの背面に設けられた係止部に係止される被係止部を有する支持部材と、を備える。
【発明の効果】
【０００６】
本開示によれば、薄型化が可能であり、かつ、構造的に優れた画像表示装置を提供することができる。
【図面の簡単な説明】
【０００７】
【図１】実施の形態に係る画像表示装置の正面側を示す斜視図である。
【図２】実施の形態に係る画像表示装置の背面側を示す斜視図である。
【図３】実施の形態に係る表示ユニットの構成概要を示す側面図である。
【図４】実施の形態に係る画像表示装置の分解斜視図である。
【図５】実施の形態に係る取付部材及び支持部材の被係止部の構成を示す斜視図である。
【図６】実施の形態に係る被係止部が係止部に係止された状態を示す断面図である。
【発明を実施するための形態】
【０００８】
本願発明者らは、従来の画像表示装置に関し、以下の問題が生じることを見出した。従来、液晶テレビジョン受像機等の画像表示装置では、例えば、複数のＬＥＤ素子が実装された光源基板を支持する支持部材にヒートシンクとしての役割を担わせている。これにより、光源基板が発する熱が支持部材を介して放出され、その結果、複数のＬＥＤ素子の発光効率の低下が抑制される。
【０００９】
しかしながら、光源基板を支持する支持部材は、特許文献１に開示された液晶表示装置のように、液晶パネル、光学シート及び導光板等を支持するシャーシに、ネジで固定される。従って、支持部材とシャーシとは、ネジによる締結力が付加された状態で互いに面接触する。そのため、光源基板からの熱が、支持部材及びシャーシを介して光学シート及び導光板等に伝わりやすく、その結果、例えば、光学シートの黄変等の劣化が生じやすくなる。そのため、例えば、バックライト（複数のＬＥＤ素子）の光出力を上げることによる、表示画像の高輝度化が困難である。また、この問題は、光源基板を支持する支持部材のサイズを大きくすること、または、支持部材の放熱のための部位を、光学シート及び導光板等から遠ざけることで解消し得る。しかしながら、この場合、例えば、画像表示装置の厚みの増加という問題が生じる。
【００１０】
本開示は、このような知見に基づいてなされたものであり、本願発明者らが鋭意検討した結果、薄型化が可能であり、かつ、構造的に優れた画像表示装置の構造についての着想を得た。
【００１１】
以下、適宜図面を参照しながら、実施の形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、本願発明者らは、当業者が本開示を十分に理解するために添付図面及び以下の説明を提供するのであって、これらによって特許請求の範囲に記載の主題を限定することを意図するものではない。
【００１３】
また、以下の実施の形態において、説明の便宜上、上下方向をＹ軸方向と一致させ、前後方向をＺ軸方向と一致させ、左右方向（横方向）をＸ軸方向と一致させている。これら対応付けは、本開示に係る画像表示装置の製造時または使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００１４】
（実施の形態）
以下、図１〜図６を用いて実施の形態を説明する。まず、図１〜図４を用いて、実施の形態に係る画像表示装置の構成概要について説明する。
【００１５】
［１−１．画像表示装置の全体構成］
図１は、実施の形態に係る画像表示装置１０の正面側を示す斜視図である。図２は、実施の形態に係る画像表示装置１０の背面側を示す斜視図である。図３は、実施の形態に係る表示ユニット１００の構成概要を示す側面図である。図４は、実施の形態に係る画像表示装置１０の分解斜視図である。なお、図４では、各種の電子回路、配線、バックカバー１９０及び、スタンド２００等の図示は省略されている。
【００１６】
図１及び図２に示すように、画像表示装置１０は、例えばフラットパネルディスプレイ型の液晶テレビジョン受像機である。画像表示装置１０は、表示ユニット１００と、表示ユニット１００を支持するスタンド２００とを備えている。表示ユニット１００は、前面（Ｚ軸プラス側の面）に画像を表示する表示パネル１０２と、表示パネル１０２の背面側（Ｚ軸マイナス側）に配置された、表示パネル１０２を支持する支持板１０１とを有する。表示ユニット１００の背面側には、例えば樹脂成型品であるバックカバー１９０が配置されており、バックカバー１９０は、図２に示すように、支持板１０１の背面１０１ａの一部のみを覆い、他の部分を露出させている。なお、バックカバー１９０は本体及び蓋板等の複数の部材で構成されているが、本実施の形態では、これら複数の部材群をバックカバー１９０として扱う。また、本実施の形態では、表示ユニット１００の背面は、表示ユニット１００の最も後方（Ｚ軸マイナス側）に位置する支持板１０１の背面１０１ａであるため、以下、「表示ユニット１００の背面１０１ａ」と表記する場合もある。
【００１７】
本実施の形態では、表示ユニット１００が備える表示パネル１０２は液晶セルであり、表示ユニット１００は、図３に示すように、表示パネル１０２と支持板１０１との間に、光学シートユニット１０５、導光板１０３、及び反射板１０４を有している。また、表示パネル１０２、光学シートユニット１０５、導光板１０３、及び反射板１０４は、周縁部に配置された粘着テープまたは接着剤等によって、支持板１０１に固定されている。つまり、表示パネル１０２、光学シートユニット１０５、導光板１０３、反射板１０４、及び、支持板１０１で構成される表示ユニット１００は、画像表示装置１０の組み立て工程において、１つの構造物として扱われる。
【００１８】
表示ユニット１００が有する導光板１０３の下端面に対向する位置には、ＬＥＤ（ｌｉｇｈｔ  ｅｍｉｔｔｉｎｇ  ｄｉｏｄｅ）ユニット１５０が配置されている。ＬＥＤユニット１５０は、通電により熱を発する電気機器の一例である。ＬＥＤユニット１５０から発せられた光は、導光板１０３の下端面から導光板１０３の内部に入射し、導光板１０３の前面に配置された光学シートユニット１０５を介して表示パネル１０２に入射する。光学シートユニット１０５は、拡散シートまたは集光シート等の光学シートを１以上有している。つまり、本実施の形態では、エッジライト方式のバックライトによって、液晶セルである表示パネル１０２に、画像表示のための光が供給される。
【００１９】
ＬＥＤユニット１５０は、導光板１０３の下端面に沿った長尺状の基板１５２と、長尺状の基板１５２の上面において並んで配置された複数のＬＥＤ素子１５１とを有する。なお、ＬＥＤユニット１５０は、一枚の基板１５２に複数のＬＥＤ素子１５１が配置されることで構成されてもよく、導光板１０３の下端面に沿って並んで配置された、それぞれが１以上のＬＥＤ素子１５１を有する複数枚の基板で構成されてもよい。つまり、ＬＥＤユニット１５０は、互いに別体の複数のＬＥＤモジュールによって構成されてもよい。
【００２０】
また、本実施の形では、ＬＥＤユニット１５０は、下方から支持部材１６０によって支持されている。支持部材１６０は、例えばアルミニウムまた鉄等の金属製の部材であり、ＬＥＤユニット１５０から発せられる熱を放出するための放熱部材（ヒートシンク）としても機能する。
【００２１】
また、本実施の形態では、図１及び図３に示すように、画像表示装置１０には、表示パネル１０２の前面の下端部を覆うベゼル１４０が備えられている。より詳細には、ベゼル１４０は、表示パネル１０２の前面の下端部を覆う部分と、支持部材１６０の下方に配置される部分とを有している。
【００２２】
スタンド２００は、画像表示装置１０を自立させる脚部であり、平板状のスタンドベース２０１と、スタンドベース２０１から立設されたネック部２０４とを有する。ネック部２０４は、表示ユニット１００と機械的に接続されており、これにより、スタンド２００が表示ユニット１００に固定される。なお、本実施の形態では、画像表示装置１０を設置するための部材としてスタンド２００を例示したが、画像表示装置１０は、スタンド２００に換えて、例えば、画像表示装置１０を壁面に設置するための壁掛ユニットを備えてもよい。
【００２３】
ここで、本実施の形態では、表示ユニット１００の背面１０１ａを形成する支持板１０１はガラス板であり、図２に示すように、表示ユニット１００を背面１０１ａ側から見た場合、支持板１０１の上部及び左右の端部が、バックカバー１９０から露出した状態である。従って、画像表示装置１０を外部から観察した場合、画像を表示する部分の周縁部が薄く認識され、かつ、背面１０１ａ側にガラス特有の光沢感が生じる。つまり、画像表示装置１０の薄型化が図られ、かつ、画像表示装置１０に美観を生じさせることができる。
【００２４】
しかしながら、ガラス板である支持板１０１に、ベースプレート１２０等を固定するためのネジ孔を形成することは不可能または困難である。そこで、本実施の形態に係る画像表示装置１０では、図４に示すように、支持板１０１の背面１０１ａに複数の取付部材１１０を接着し、取付部材１１０を介してベースプレート１２０を支持板１０１に固定する手法が採用されている。より具体的には、ベースプレート１２０の上部は、複数の取付部材１１０にネジ止めされこれにより、表示ユニット１００はベースプレート１２０に固定される。また、ベースプレート１２０の下部は、支持板１０１に取り付けられた支持部材１６０と接続されることで移動が規制される。
【００２５】
支持部材１６０は、図３に示すように、表示ユニット１００の端面に対向して配置されるＬＥＤユニット１５０を支持する支持面部１６０ａと、支持面部１６０ａと交差する方向に広がり、被係止部１６１が形成された主面部１６０ｂとを有する。なお、ＬＥＤユニット１５０は、上述のように、導光板１０３の下端面に対向して配置されている。
【００２６】
支持部材１６０の主面部１６０ｂは、支持板１０１とベースプレート１２０との間に配置されている。支持部材１６０は、主面部１６０ｂに設けられた被係止部１６１が、表示ユニット１００の背面１０１ａに設けられた係止部１８２に係止されることで、表示ユニット１００に取り付けられている。具体的には、表示ユニット１００の背面１０１ａを形成する支持板１０１に、取付部材１８０が接着されており、支持部材１６０の被係止部１６１は、取付部材１８０が有する係止部１８２に係止されている。なお、取付部材１１０及び１８０は、例えばアルミニウムまたは鉄等の金属製の板金にプレス加工等を施すことで作製される部材である。
【００２７】
なお、本実施の形態では、支持部材１６０には、図４に示すように、表示パネル１０２の画像表示を駆動するための回路基板１７０と、回路基板１７０を覆う基板カバー２１０とが取り付けられているが、図３ではこれらの図示は省略されている。
【００２８】
このように、本実施の形態に係る画像表示装置１０では、ＬＥＤユニット１５０を支持する支持部材１６０は、表示ユニット１００に引っ掛けられた状態で、表示ユニット１００に取り付けられている。これにより、ＬＥＤユニット１５０から表示ユニット１００への熱伝導が抑制されている。以下、図５及び図６を参照しながら、本実施の形態に係る画像表示装置１０における、取付部材１８０及びその周辺の構成について説明する。
【００２９】
［１−２．取付部材及びその周辺の構成］
図５は、実施の形態に係る取付部材１８０及び支持部材１６０の被係止部１６１の構成を示す斜視図である。図６は、実施の形態に係る被係止部１６１が係止部１８２に係止された状態を示す断面図である。具体的には、図６は、画像表示装置１０の部分断面であって、図５のＶＩ−ＶＩ線を通るＹＺ平面における部分断面が図示されている。図６では、表示ユニット１００の支持板１０１よりも前方の導光板１０３等の構成要素の図示は省略されている。また、図６では、画像表示装置１０の、支持部材１６０よりも後方のベースプレート１２０等の構成要素の図示は省略されている。
【００３０】
図５及び図６に示すように、本実施の形態では、支持部材１６０は、取付部材１８０に係止された状態で、表示ユニット１００の支持板１０１と機械的に接続されている。具体的には、取付部材１８０は、支持板１０１に接着等によって固定された本体部１８１と、本体部１８１から支持部材１６０側に突出状に設けられた係止部１８２と、係止部１８２によって係止された支持部材１６０を、支持板１０１から離間させる凸部１８８とを有する。
【００３１】
係止部１８２は、支持部材１６０に設けられた被係止部１６１を係止するための構成を有している。具体的には、本実施の形態では、被係止部１６１は、支持部材１６０の主面部１６０ｂを貫通する貫通孔１６１ａと、貫通孔１６１ａの下部（支持部材１６０の支持面部１６０ａ（図３参照）側の位置）に配置された係合部１６１ｂを有している。
【００３２】
このように構成された被係止部１６１に対し、係止部１８２は、貫通孔１６１ａを貫通する腕部１８２ａと、腕部１８２ａから下方に向けて延設され、係合部１６１ｂに係合する爪部１８２ｂとを有している。
【００３３】
より詳細には、爪部１８２ｂは、図６に示すように、凹状に形成された係合部１６１ｂと係合する爪先端部１８２ｃを有し、上下方向において、爪先端部１８２ｃが係合部１６１ｂに引っ掛かる。これにより、ＬＥＤユニット１５０を支持する支持部材１６０は、表示ユニット１００の支持板１０１に取り付けられる。また、このような取付箇所は、支持板１０１の背面１０１ａ側に複数（図４では９箇所）設けられており、これにより、支持部材１６０は安定的に支持板１０１に保持される。
【００３４】
また、図５に示すように、取付部材１８０には、係止部１８２の横方向（Ｘ軸方向）の両側に配置された凸部１８８が存在し、これにより、図６に示すように、支持部材１６０の主面部１６０ｂは、支持板１０１から離間された状態で配置される。
【００３５】
［１−３．効果等］
以上説明したように、本実施の形態に係る画像表示装置１０は、前面に画像を表示する表示パネル１０２を有する表示ユニット１００と、画像の表示に用いられるＬＥＤユニット１５０であって、通電により発熱するＬＥＤユニット１５０と、ＬＥＤユニット１５０を支持する支持部材１６０とを備える。支持部材１６０は、表示ユニット１００の背面１０１ａに設けられた係止部１８２に係止される被係止部１６１を有する。
【００３６】
この構成によれば、画像表示装置１０使用時において熱源となるＬＥＤユニット１５０を支持する支持部材１６０は、表示ユニット１００の背面１０１ａ側に引っ掛けられることで画像表示装置１０に組み込まれる。そのため、例えば、図５及び図６から分かるように、係止部１８２と支持部材１６０との接触面積をきわめて小さくすることができる。その結果、例えば、表示ユニット１００と支持部材１６０とをネジ止めする場合と比較すると、ＬＥＤユニット１５０が発する熱が表示ユニット１００に伝導し難い。
【００３７】
より具体的には、支持部材１６０を、表示ユニット１００の背面１０１ａに接着された、例えば取付部材１１０のようなブラケットにネジ止めする場合を想定する。この場合、ネジの軸方向から見た場合において、少なくともネジの頭部の範囲内ではブラケットと支持部材１６０とは面接触する。さらに、ブラケットと支持部材１６０とが面接触している箇所では、ネジによる比較的に大きな締結力によりブラケットと支持部材１６０とが密着する。そのため、支持部材１６０からブラケットに熱伝導しやすくなり、その結果、支持部材１６０から表示ユニット１００への熱伝導量が大きくなる。この点に関し、本実施の形態では、表示ユニット１００に設けられた係止部１８２に、支持部材１６０の被係止部１６１が引っ掛けられた状態で、支持部材１６０が表示ユニット１００に取り付けられるため、係止部１８２と被係止部１６１との接触面積を比較的に小さくすることが可能である。これにより、支持部材１６０から表示ユニット１００への熱伝導が抑制される。
【００３８】
従って、ＬＥＤユニット１５０の発熱に起因する、光学シートユニット１０５等の表示ユニット１００の構成要素の劣化が抑制される。特に、本実施の形態のように、支持板１０１がガラス板である場合、支持板１０１がＳＥＣＣ等の金属板である場合よりも、受け取った熱が支持板１０１に広がらず、光学シートユニット１０５等に伝導しやすい。さらに、取付部材１８０が、受け取った熱で熱くなるため、支持板１０１を介して取付部材１８０に対応する位置の光学シートが熱せられて、局所的な黄変が目立つことになる。そのため、ＬＥＤユニット１５０から表示ユニット１００への熱伝導の抑制は重要である。この点に関し、画像表示装置１０は、上述のように、ＬＥＤユニット１５０から表示ユニット１００への熱伝導が抑制される構造を有している。これにより、例えば、ＬＥＤユニット１５０の光出力の増加が可能となる。その結果、表示パネル１０２における表示画像の高輝度化が可能となる。また、ＬＥＤユニット１５０から表示ユニット１００への熱伝導を抑制するために、ヒートシンクとして機能する支持部材１６０のサイズまたは厚み等を大きくする必要はなく、また、主面部１６０ｂ（図３参照）を、表示ユニット１００から遠くに離す必要もない。このように、本実施の形態に係る画像表示装置１０は、薄型化が可能な画像表示装置であって、構造的に優れた画像表示装置である。
【００３９】
また、本実施の形態において、係止部１８２は、表示ユニット１００の背面１０１ａに固定された取付部材１８０が有する突出状の部分である。支持部材１６０の被係止部１６１は、係止部１８２の少なくとも一部を貫通させた状態で、係止部１８２に係止される。
【００４０】
このように、本実施の形態では、突出状の係止部１８２を、支持部材１６０の被係止部１６１に貫通させるという簡易な工程で支持部材１６０を表示ユニット１００に取り付けることができる。また、係止部１８２を有する取付部材１８０が、表示ユニット１００の背面１０１ａを形成する部材（本実施の形態では支持板１０１）とは別部材である。そのため、例えば、同一形状及び同一サイズの係止部１８２を表示ユニット１００の背面１０１ａに複数設けることが容易である。従って、簡易な構成で、支持部材１６０をより安定的に表示ユニット１００に保持させることができる。
【００４１】
また、本実施の形態では、表示ユニット１００は、表示ユニット１００の背面１０１ａを形成するガラス製の支持板１０１を有し、取付部材１８０は、支持板１０１に接着されることで表示ユニット１００の背面１０１ａに固定されている。
【００４２】
このように、本実施の形態において支持板１０１とは別部材である取付部材１８０は、支持板１０１に接着で固定されるため、取付部材１８０を支持板１０１に固定するためのネジが不要である。従って、支持板１０１としてガラス板を採用することができ、これにより、上述のように、背面１０１ａ側にガラス特有の光沢感を生させることができる。つまり、画像表示装置１０の薄型化が図られ、かつ、画像表示装置１０に美観を生じさせることができる。
【００４３】
また、ＬＥＤユニット１５０のヒートシンクとして機能する支持部材１６０を、複数のネジで支持板１０１に固定したと仮定した場合、ガラス製の支持板１０１と、金属製の支持部材１６０との熱膨張係数の違いにより、表示ユニット１００に反りが生じる。この点に関し、本実施の形態では、支持板１０１に設けられた複数の係止部１８２のそれぞれに、支持部材１６０の複数の被係止部１６１のいずれかを引っ掛けた状態で、支持部材１６０が表示ユニット１００に取り付けられる。そのため、係止部１８２と被係止部１６１との滑り合いにより、表示ユニット１００の反りが抑制される。
【００４４】
また、支持板１０１の背面１０１ａに接着された取付部材に、支持部材１６０をネジ止めしたと仮定した場合、取付部材と支持板１０１との接着部にストレスがかかりやすく、このことは、長期使用による、取付部材の支持板１０１からの剥がれの要因となる。この点に関し、本実施の形態では、取付部材１８０の係止部１８２が撓むことで、取付部材１８０と支持板１０１との接着部にストレスが緩和され、その結果、取付部材１８０の支持板１０１からの剥がれが抑制される。
【００４５】
また、本実施の形態では、支持部材１６０は、表示ユニット１００の端面に対向して配置されるＬＥＤユニット１５０を支持する支持面部１６０ａと、支持面部１６０ａと交差する方向に広がり、被係止部１６１が形成された主面部１６０ｂとを有する。被係止部１６１は、主面部１６０ｂを貫通する貫通孔１６１ａと、主面部１６０ｂの背面側において、貫通孔１６１ａよりも支持面部１６０ａに近い位置に配置された係合部１６１ｂとを有する。係止部１８２は、貫通孔１６１ａを貫通する腕部１８２ａと、腕部１８２ａから支持面部１６０ａの側に向けて延設され、係合部１６１ｂに係合する爪部１８２ｂとを有する。
【００４６】
この構成によれば、例えば図３、図５及び図６から分かるように、係止部１８２を貫通孔１６１ａに貫通させて、支持部材１６０を表示ユニット１００（取付部材１８０）に対して持ち上げることで、爪部１８２ｂと係合部１６１ｂとを係合させることができる。また、本実施の形態では、支持板１０１の背面１０１ａ側において複数（図４では９個）の取付部材１８０が固定されており、これら９個の取付部材１８０に対し、一括して支持部材１６０の９箇所の被係止部１６１を係止させることができる。つまり、例えば複数の取付部材１８０のそれぞれを、順次、支持板１０１にネジで固定していくような工程は不要である。このように、本実施の形態に係る画像表示装置１０によれば、簡易な工程で、かつ、表示ユニット１００への熱伝導が抑制される態様で、支持部材１６０を表示ユニット１００に取り付けることができる。
【００４７】
また、本実施の形態において、表示ユニット１００の背面１０１ａにはさらに、係止部１８２の側方において、支持部材１６０に向けて突出する凸部１８８が設けられている。
【００４８】
このように、表示ユニット１００の背面１０１ａに凸部１８８が配置されていることで、係止部１８２に係止された支持部材１６０を、凸部１８８の高さ（背面１０１ａからの突出力）の分だけ表示ユニット１００の背面１０１ａから離間させることができる。つまり、表示ユニット１００の背面１０１ａと支持部材１６０との間により確実に空気層を形成することができ、これにより、支持部材１６０から放射される熱が表示ユニット１００に伝わり難くなる。また、凸部１８８は、図５及び図６に示すように、支持部材１６０の凹状の係合部１６１ｂを、係止部１８２の爪先端部１８２ｃの方向に押すように支持部材１６０に作用する。そのため、爪先端部１８２ｃが係合部１６１ｂから外れ難くなり、支持部材１６０が、より安定的に表示ユニット１００に保持される。このことは、例えば、画像表示装置１０の耐振動性もしくは耐衝撃性の向上、または、製品寿命の向上等に寄与する。
【００４９】
また、本実施の形態では、係止部１８２を有する取付部材１８０に凸部１８８が設けられているため、例えば、表示ユニット１００の背面１０１ａに複数の凸部１８８を設ける場合に、これら凸部１８８の高さの均一化を図りやすい。また、取付部材１８０では、図５に示すように係止部１８２を挟んで一対の凸部１８８が設けられている。そのため、図６に示すように、係止部１８２が、支持部材１６０を表示ユニット１００に近づけるように作用している状態において、支持部材１６０の位置が、一対の凸部１８８によってバランスよく規制される。
【００５０】
また、本実施の形態において、表示ユニット１００は、表示パネル１０２の背面側に配置された導光板１０３を有し、ＬＥＤユニット１５０は、導光板１０３の端面から光を入射する複数のＬＥＤ素子１５１を有する。
【００５１】
このように、本実施の形態では、エッジライト方式の液晶ユニットである表示ユニット１００において、支持部材１６０によって複数のＬＥＤ素子１５１の放熱が行われる。また、複数のＬＥＤ素子１５１及び表示ユニット１００の一方から他方への熱伝導が抑制される。そのため、表示ユニット１００の劣化が抑制され、また、複数のＬＥＤ素子１５１の劣化も抑制される。これにより、表示ユニット１００における表示画像の画質の維持が図られる。
【００５２】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００５３】
例えば、支持部材１６０が支持する電気機器はＬＥＤユニット１５０であるとして、実施の形態の説明を行ったが、支持部材１６０が支持する電気機器はＬＥＤユニット１５０以外であってもよい。例えば、本実施の形態において、表示パネル１０２の画像表示を駆動する回路基板１７０は、図４に示すように支持部材１６０に取り付けられており、従って、支持部材１６０に支持される電気機器は回路基板１７０である、ということもできる。この場合、本実施の形態に係る画像表示装置１０は、回路基板１７０が発した熱が表示ユニット１００に伝導し難い構造を有している、と説明することができる。
【００５４】
また、支持部材１６０の形状及び配置位置は、例えば図３及び図４等に示される形状及び位置である必要はない。例えば、通電により発熱する電気機器の一例である電源回路（図示せず）を支持する支持部材が、表示ユニット１００の背面１０１ａの中央部分のみに配置されてもよい。この場合であっても、支持部材を、背面１０１ａに設けられた係止部に係止することで表示ユニット１００に取り付けることができる。これにより、電源回路のヒートシンクとして機能する支持部材から表示ユニット１００への熱伝導は抑制される。
【００５５】
また、表示ユニット１００の背面１０１ａを形成する支持板１０１は、ガラス製である必要はなく、アルミニウムまたは鉄等の金属製であってもよい。この場合、係止部１８２及び凸部１８８は、プレス加工等によって支持板１０１に一体に設けられてもよい。これにより、例えば、画像表示装置１０の部品点数が削減される。
【００５６】
また、係止部１８２及び被係止部１６１の形状は、図５に示される形状以外の形状であってもよい。例えば、係止部１８２が、被係止部１６１の貫通孔を貫通する腕部と、腕部から上方に突出する爪部とを備え、被係止部１６１は貫通孔のみを有してもよい。この場合であっても、係止部１８２に被係止部１６１を引っ掛けることができ、かつ、爪部が係止部１８２の被係止部１６１からの抜け出し防止部として機能する。この場合、例えば、係止部１８２の腕部の横幅（Ｘ軸方向の幅）を小さくすることで、係止部１８２と被係止部１６１との接触面積を小さくしてもよい。また、係止部１８２の腕部の縦幅（Ｚ軸方向の幅）を大きくすることで、係止部１８２の、支持部材１６０を係止する部材としての強度を向上させてもよい。
【００５７】
また、例えば、表示ユニット１００の背面１０１ａに、係止部として、貫通孔を有する突出部を設け、この貫通孔に、被係止部が有する突起が係止されてもよい。つまり、表示ユニット１００に設けられた係止部の少なくとも一部が、支持部材１６０に設けられた被係止部を貫通することは必須ではなく、被係止部の少なくとも一部が、係止部を貫通することで、被係止部が係止部に係止されてもよい。
【００５８】
また、支持部材１６０に設けられた被係止部は、貫通孔ではなく有底の穴を有してもよい。この場合であっても、表示ユニット１００の背面１０１ａに設けられた係止部を、有底の穴に挿入することで、支持部材１６０を、表示ユニット１００に引っ掛けた状態で取り付けることは可能である。
【００５９】
また、支持板１０１の背面１０１ａに接着される取付部材１８０の数は９には限定されない。画像表示装置１０が備える取付部材１８０の数、及び、そのレイアウトは、例えば、支持部材１６０のサイズ、重量、及び、支持部材１６０が支持すべき電気機器の重量等を考慮して、適宜決定すればよい。
【００６０】
また、画像表示装置１０が備える表示パネル１０２の種類は液晶セルには限定されない、例えば、表示パネル１０２として、有機ＥＬ（Ｅｌｅｃｔｒｏｌｕｍｉｎｅｓｃｅｎｃｅ）ディスプレイパネルが採用されてもよい。この場合、表示ユニット１００は、例えば、有機ＥＬディスプレイパネルと、有機ＥＬディスプレイパネルの背面側に配置された支持板１０１とで構成される。表示パネル１０２として、マイクロＬＥＤディスプレイパネルが採用される場合も同様である。
【００６１】
以上のように、本開示における技術の例示として、実施の形態を説明した。そのために、添付図面及び詳細な説明を提供した。
【００６２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲又はその均等の範囲において種々の変更、置き換え、付加、省略などを行うことができる。
【産業上の利用可能性】
【００６４】
本開示は、画像を表示するための画像表示装置に適用可能である。具体的には、テレビジョン受像機、モニタディスプレイ、及びデジタルサイネージなどに、本開示は適用可能である。
【符号の説明】
【００６５】
１０  画像表示装置
１００  表示ユニット
１０１  支持板
１０１ａ  背面
１０２  表示パネル
１０３  導光板
１０４  反射板
１０５  光学シートユニット
１１０  取付部材
１２０  ベースプレート
１４０  ベゼル
１５０  ＬＥＤユニット
１５１  ＬＥＤ素子
１５２  基板
１６０  支持部材
１６０ａ  支持面部
１６０ｂ  主面部
１６１  被係止部
１６１ａ  貫通孔
１６１ｂ  係合部
１７０  回路基板
１８０  取付部材
１８１  本体部
１８２  係止部
１８２ａ  腕部
１８２ｂ  爪部
１８２ｃ  爪先端部
１８８  凸部
１９０  バックカバー
２００  スタンド
２０１  スタンドベース
２０４  ネック部
２１０  基板カバー
【図１】
2020118911.tif 000003
【図２】
2020118911.tif 000004
【図３】
2020118911.tif 000005
【図４】
2020118911.tif 000006
【図５】
2020118911.tif 000007
【図６】
2020118911.tif 000008